(57)【要約】【課題】多種多様なフィルタ特性を簡便に構築すること。【解決手段】接地導体２０は、第１コンデンサ５１の一方の電気接続部との電気的な接続が可能な第１接地側接続部２２と、第２コンデンサ５２の一方の電気接続部との電気的な接続が可能な第２接地側接続部２３と、を有し、第１導体３０は、第１コンデンサの他方の電気接続部との電気的な接続が可能なコンデンサ接続部３１と、外部導体６１との電気的な接続が可能な外部導体接続部３２と、インダクタ層７０の一端との電気的な接続が可能なインダクタ接続部３３と、を有し、第２導体４０は、第２コンデンサの他方の電気接続部との電気的な接続が可能なコンデンサ接続部４１と、外部導体６２との電気的な接続が可能な外部導体接続部４２と、インダクタ層の他端との電気的な接続が可能なインダクタ接続部４３と、を有すること。【選択図】図１
2016208487.tif 000002
【特許請求の範囲】
【請求項１】
接地可能な接地導体、第１導体及び第２導体を有する回路体を備え、
前記接地導体は、第１コンデンサの一方の電気接続部との電気的な接続が可能な第１接地側接続部と、第２コンデンサの一方の電気接続部との電気的な接続が可能な第２接地側接続部と、を有し、
前記第１導体は、前記第１コンデンサの他方の電気接続部との電気的な接続が可能なコンデンサ接続部と、外部導体との電気的な接続が可能な外部導体接続部と、インダクタ層の一端との電気的な接続が可能なインダクタ接続部と、を有し、
前記第２導体は、前記第２コンデンサの他方の電気接続部との電気的な接続が可能なコンデンサ接続部と、前記外部導体とは別の外部導体との電気的な接続が可能な外部導体接続部と、前記インダクタ層の他端との電気的な接続が可能なインダクタ接続部と、を有することを特徴としたノイズフィルタ。
【請求項２】
前記回路体を収容すると共に、前記第１コンデンサと前記第２コンデンサの収容が可能な収容空間を有する筐体を備え、
前記インダクタ層とそれぞれの前記外部導体は、前記筐体の外側に配置することを特徴とした請求項１に記載のノイズフィルタ。
【請求項３】
前記第１導体の前記インダクタ接続部と前記第２導体の前記インダクタ接続部は、前記筐体の外側に露出させることを特徴とした請求項２に記載のノイズフィルタ。
【請求項４】
前記第１導体の前記インダクタ接続部と前記第２導体の前記インダクタ接続部と前記インダクタ層を収容するインダクタ層収容部を設けることを特徴とした請求項３に記載のノイズフィルタ。
【請求項５】
導電性部材を介して接地される前記接地導体の当該導電性部材との電気的な接触部は、前記筐体の外側に露出させることを特徴とした請求項２，３又は４に記載のノイズフィルタ。
【請求項６】
導電性部材を介して接地される前記接地導体は、該導電性部材との電気的な接触部の周囲に前記第１接地側接続部と前記第２接地側接続部とを備えることを特徴とした請求項１から４の内の何れか１つに記載のノイズフィルタ。
【請求項７】
前記第１接地側接続部と前記第２接地側接続部は、前記第１導体と前記第２導体との間に配置することを特徴とした請求項１から６の内の何れか１つに記載のノイズフィルタ。
【請求項８】
前記第１導体の前記コンデンサ接続部と前記第２導体の前記コンデンサ接続部は、前記第１接地側接続部と前記第２接地側接続部とを含む仮想線上に配置することを特徴とした請求項１から７の内の何れか１つに記載のノイズフィルタ。
【請求項９】
前記第１導体の前記コンデンサ接続部と前記第２導体の前記コンデンサ接続部は、前記第１接地側接続部と前記第２接地側接続部とを含む仮想線上とは異なる位置に配置することを特徴とした請求項１から７の内の何れか１つに記載のノイズフィルタ。
【請求項１０】
前記接地導体を接地させることができない場合、前記第１導体の前記外部導体接続部に接続された前記外部導体と前記第２導体の前記外部導体接続部に接続された前記外部導体の内の１つを接地させることを特徴とした請求項１から９の内の何れか１つに記載のノイズフィルタ。
【請求項１１】
接地可能な接地導体、第１導体及び第２導体を有する回路体を備え、
前記接地導体は、第１コンデンサの一方の電気接続部との電気的な接続が可能な第１接地側接続部と、第２コンデンサの一方の電気接続部との電気的な接続が可能な第２接地側接続部と、を有し、
前記第１導体は、前記第１コンデンサの他方の電気接続部との電気的な接続が可能なコンデンサ接続部と、電線との電気的な接続が可能な外部導体接続部と、インダクタ層の一端との電気的な接続が可能なインダクタ接続部と、を有し、
前記第２導体は、前記第２コンデンサの他方の電気接続部との電気的な接続が可能なコンデンサ接続部と、前記電線とは別の電線との電気的な接続が可能な外部導体接続部と、前記インダクタ層の他端との電気的な接続が可能なインダクタ接続部と、を有することを特徴としたワイヤハーネス。
【発明の詳細な説明】
【技術分野】
【０００１】
本発明は、ノイズフィルタ及びワイヤハーネスに関する。
【背景技術】
【０００２】
従来、電気回路やワイヤハーネス等に乗った電気的なノイズを低減させるノイズフィルタが知られている。ノイズフィルタは、そのようなノイズの低減を行う素子として、コンデンサやインダクタ（コイル）等のノイズ低減素子を少なくとも１つ備えている。例えば、この種のノイズフィルタは、下記の特許文献１−５に開示されている。
【先行技術文献】
【特許文献】
【０００３】
【特許文献１】特許第４８５０１８１号公報
【特許文献２】特許第５４９６５６０号公報
【特許文献３】特許第５３７１５３５号公報
【特許文献４】特許第５１７３８５９号公報
【特許文献５】国際公開第２０１０／１３７４９２号
【特許文献６】特許第５３０４４６０号公報
【発明の概要】
【発明が解決しようとする課題】
【０００４】
ところで、ノイズフィルタは、低減の対象となるノイズの特性（周波数帯域等）に応じて、ノイズ低減素子の種類や数量等の仕様が決められる。このため、この技術分野においては、仕様の異なるノイズフィルタの容易な構築が望まれている。例えば、特許文献６のノイズフィルタは、ノイズ低減素子としての抵抗素子の付加領域を予め設けておくことで、異なる仕様への容易な変更を可能にしている。しかしながら、従来のノイズフィルタは、より多くの仕様を簡便に製造する上で、改善の余地がある。
【０００５】
そこで、本発明は、多種多様なフィルタ特性を簡便に構築可能なノイズフィルタ及びワイヤハーネスを提供することを、その目的とする。
【課題を解決するための手段】
【０００６】
上記目的を達成する為、本発明に係るノイズフィルタは、接地可能な接地導体、第１導体及び第２導体を有する回路体を備え、前記接地導体は、第１コンデンサの一方の電気接続部との電気的な接続が可能な第１接地側接続部と、第２コンデンサの一方の電気接続部との電気的な接続が可能な第２接地側接続部と、を有し、前記第１導体は、前記第１コンデンサの他方の電気接続部との電気的な接続が可能なコンデンサ接続部と、外部導体との電気的な接続が可能な外部導体接続部と、インダクタ層の一端との電気的な接続が可能なインダクタ接続部と、を有し、前記第２導体は、前記第２コンデンサの他方の電気接続部との電気的な接続が可能なコンデンサ接続部と、前記外部導体とは別の外部導体との電気的な接続が可能な外部導体接続部と、前記インダクタ層の他端との電気的な接続が可能なインダクタ接続部と、を有することを特徴としている。
【０００７】
ここで、前記回路体を収容すると共に、前記第１コンデンサと前記第２コンデンサの収容が可能な収容空間を有する筐体を備え、前記インダクタ層とそれぞれの前記外部導体は、前記筐体の外側に配置することが望ましい。
【０００８】
前記第１導体の前記インダクタ接続部と前記第２導体の前記インダクタ接続部は、前記筐体の外側に露出させることが望ましい。
【０００９】
前記第１導体の前記インダクタ接続部と前記第２導体の前記インダクタ接続部と前記インダクタ層を収容するインダクタ層収容部を設けることが望ましい。
【００１０】
また、導電性部材を介して接地される前記接地導体の当該導電性部材との電気的な接触部は、前記筐体の外側に露出させることが望ましい。
【００１１】
また、導電性部材を介して接地される前記接地導体は、該導電性部材との電気的な接触部の周囲に前記第１接地側接続部と前記第２接地側接続部とを備えることが望ましい。
【００１２】
また、前記第１接地側接続部と前記第２接地側接続部は、前記第１導体と前記第２導体との間に配置することが望ましい。
【００１３】
また、前記第１導体の前記コンデンサ接続部と前記第２導体の前記コンデンサ接続部は、前記第１接地側接続部と前記第２接地側接続部とを含む仮想線上に配置することが望ましい。
【００１４】
また、前記第１導体の前記コンデンサ接続部と前記第２導体の前記コンデンサ接続部は、前記第１接地側接続部と前記第２接地側接続部とを含む仮想線上とは異なる位置に配置することが望ましい。
【００１５】
また、前記接地導体を接地させることができない場合、前記第１導体の前記外部導体接続部に接続された前記外部導体と前記第２導体の前記外部導体接続部に接続された前記外部導体の内の１つを接地させることが望ましい。
【００１６】
また、上記目的を達成する為、本発明に係るワイヤハーネスは、接地可能な接地導体、第１導体及び第２導体を有する回路体を備え、前記接地導体は、第１コンデンサの一方の電気接続部との電気的な接続が可能な第１接地側接続部と、第２コンデンサの一方の電気接続部との電気的な接続が可能な第２接地側接続部と、を有し、前記第１導体は、前記第１コンデンサの他方の電気接続部との電気的な接続が可能なコンデンサ接続部と、電線との電気的な接続が可能な外部導体接続部と、インダクタ層の一端との電気的な接続が可能なインダクタ接続部と、を有し、前記第２導体は、前記第２コンデンサの他方の電気接続部との電気的な接続が可能なコンデンサ接続部と、前記電線とは別の電線との電気的な接続が可能な外部導体接続部と、前記インダクタ層の他端との電気的な接続が可能なインダクタ接続部と、を有することを特徴としている。
【発明の効果】
【００１７】
本発明に係るノイズフィルタは、接地導体と第１導体と第２導体とを備えたフィルタ共用体を構成している。そして、このノイズフィルタは、フィルタ共用体に搭載するノイズ低減素子の種類及び数量と外部導体の数量とを容易に変更することができる。従って、このノイズフィルタは、多種多様なフィルタ特性を簡便に構築することができる。そして、このノイズフィルタを有するワイヤハーネスにおいては、簡便にノイズ低減効果を得ることができる。
【図面の簡単な説明】
【００１８】
【図１】図１は、実施形態のノイズフィルタにおけるフィルタ共用体を示す正面図である。
【図２】図２は、実施形態のフィルタ共用体を示す斜視図である。
【図３】図３は、実施形態のフィルタ共用体における接地導体と第１導体と第２導体とを示す正面図である。
【図４】図４は、実施形態のノイズフィルタとワイヤハーネスの一例において蓋部を取り除いた状態の正面図である。
【図５】図５は、実施形態のノイズフィルタとワイヤハーネスの他の例において蓋部を取り除いた状態の正面図である。
【図６】図６は、実施形態のノイズフィルタとワイヤハーネスの他の例において蓋部を取り除いた状態の正面図である。
【図７】図７は、実施形態のノイズフィルタとワイヤハーネスの他の例において蓋部を取り除いた状態の正面図である。
【図８】図８は、実施形態のフィルタ共用体を示す背面図である。
【図９】図９は、実施形態のフィルタ共用体を示す側面図である。
【図１０】図１０は、変形例１のノイズフィルタとワイヤハーネスの一例において蓋部を取り除いた状態の正面図である。
【図１１】図１１は、変形例１のフィルタ共用体における接地導体と第１導体と第２導体とを説明する斜視図である。
【図１２】図１２は、変形例２のフィルタ共用体を示す斜視図である。
【図１３】図１３は、変形例２のフィルタ共用体における接地導体と第１導体と第２導体とを示す正面図である。
【図１４】図１４は、変形例２のノイズフィルタとワイヤハーネスの一例を示す斜視図である。
【図１５】図１５は、図１４のノイズフィルタとワイヤハーネスの部品展開図である。
【図１６】図１６は、変形例２のノイズフィルタとワイヤハーネスの他の例を示す斜視図である。
【図１７】図１７は、図１６のノイズフィルタとワイヤハーネスの部品展開図である。
【図１８】図１８は、変形例２のノイズフィルタとワイヤハーネスの他の例を示す斜視図である。
【図１９】図１９は、図１８のノイズフィルタとワイヤハーネスの部品展開図である。
【図２０】図２０は、変形例３のノイズフィルタとワイヤハーネスの一例において蓋部を取り除いた状態の正面図である。
【図２１】図２１は、図２０のノイズフィルタとワイヤハーネスの部品展開図である。
【図２２】図２２は、変形例３のフィルタ共用体における接地導体と第１導体と第２導体とを示す正面図である。
【図２３】図２３は、変形例４のノイズフィルタとワイヤハーネスの一例を示す斜視図である。
【図２４】図２４は、変形例４のノイズフィルタとワイヤハーネスの背面図である。
【図２５】図２５は、変形例４のノイズフィルタとワイヤハーネスの部品展開図である。
【図２６】図２６は、変形例４のフィルタ共用体を示す正面図である。
【図２７】図２７は、変形例４のノイズフィルタとワイヤハーネスにおいて蓋部を取り除いた状態の斜視図である。
【図２８】図２８は、変形例４のノイズフィルタとワイヤハーネスにおいて蓋部を取り除いた状態の正面図である。
【図２９】図２９は、変形例５のノイズフィルタとワイヤハーネスの一例を示す斜視図である。
【図３０】図３０は、変形例５のノイズフィルタとワイヤハーネスの部品展開図である。
【図３１】図３１は、変形例５のノイズフィルタとワイヤハーネスにおいて蓋部を取り除いた状態の正面図である。
【図３２】図３２は、変形例５のフィルタ共用体を示す斜視図である。
【図３３】図３３は、変形例５のフィルタ共用体における接地導体と第１導体と第２導体とを示す正面図である。
【図３４】図３４は、変形例５の第２筐体側を示す正面図である。
【図３５】図３５は、変形例５の第２筐体側における第１導体と第２導体と第３導体と放熱板とを示す正面図である。
【図３６】図３６は、変形例５の第２筐体側を背面側から見た斜視図である。
【図３７】図３７は、変形例５のノイズフィルタとワイヤハーネスを示す側面図である。
【図３８】図３８は、変形例５におけるインダクタと高熱伝導率部材とを示す斜視図である。
【図３９】図３９は、高熱伝導率部材の有無によるコイル表面温度について説明する図である。
【図４０】図４０は、変形例６のノイズフィルタとワイヤハーネスにおいて蓋部を取り除いた状態の正面図である。
【図４１】図４１は、変形例６のノイズフィルタとワイヤハーネスの適用例を説明する図である。
【発明を実施するための形態】
【００１９】
本発明に係るノイズフィルタは、多種多様なフィルタ特性（ノイズ低減特性等）を簡便に構築することができるよう以下の如く構成したものである。また、本発明に係るワイヤハーネスは、そのようなノイズフィルタを少なくとも２本の電線の間に介在させたものである。
【００２０】
本発明に係るノイズフィルタは、多種多様なフィルタ特性が簡便に構築できるように、接地可能な接地導体、第１導体及び第２導体を有する回路体を備える。接地導体は、ノイズ低減素子としての第１コンデンサの一方の電気接続部との電気的な接続が可能な第１接地側接続部と、ノイズ低減素子としての第２コンデンサの一方の電気接続部との電気的な接続が可能な第２接地側接続部と、を有している。また、第１導体は、第１コンデンサの他方の電気接続部との電気的な接続が可能なコンデンサ接続部と、外部導体との電気的な接続が可能な外部導体接続部と、インダクタ層の一端との電気的な接続が可能なインダクタ接続部と、を有している。また、第２導体は、第２コンデンサの他方の電気接続部との電気的な接続が可能なコンデンサ接続部と、前記外部導体とは別の外部導体との電気的な接続が可能な外部導体接続部と、インダクタ層の他端との電気的な接続が可能なインダクタ接続部と、を有している。回路体は、筐体に収容される。その筐体には、第１コンデンサと第２コンデンサの収容が可能な収容空間が設けられている。インダクタ層とそれぞれの外部導体は、筐体の外側に配置される。
【００２１】
ここで、このノイズフィルタは、次の２パターンに大別することができる。パターン１のノイズフィルタとは、第１導体のコンデンサ接続部と第２導体のコンデンサ接続部を、第１接地側接続部と第２接地側接続部とを含む仮想線上に配置したものである。一方、パターン２のノイズフィルタとは、第１導体のコンデンサ接続部と第２導体のコンデンサ接続部を、第１接地側接続部と第２接地側接続部とを含む仮想線上とは異なる位置に配置したものである。
【００２２】
以下に、本発明に係るノイズフィルタ及びワイヤハーネスの実施形態を図面に基づいて詳細に説明する。尚、この実施形態によりこの発明が限定されるものではない。
【００２３】
［実施形態］
本実施形態のノイズフィルタは、前述したパターン１のノイズフィルタであり、以下に示す筐体１０と接地導体２０と第１導体３０と第２導体４０とを備える。図１及び図２の符号１ａは、様々なフィルタ特性の複数のノイズフィルタ１において共用されるフィルタ共用体であり、その筐体１０と接地導体２０と第１導体３０と第２導体４０の一体物を示している。
【００２４】
筐体１０は、合成樹脂等の絶縁性材料によって成形される。この筐体１０は、その内側に接地導体２０と第１導体３０と第２導体４０とを収容するものであり、これらを収容する収容部１１を備える。その収容部１１は、一面が開口された箱状のものであり、その開口から接地導体２０と第１導体３０と第２導体４０とが収容される。接地導体２０と第１導体３０と第２導体４０は、この筐体１０の内側に全てが収容されてもよく、その一部が筐体１０の外側に露出していてもよい。更に、この筐体１０の収容部１１は、第１コンデンサ５１及び第２コンデンサ５２の収容空間Ｓ１を有している。第１コンデンサ５１は、一対の電気接続部（リード端子等）５１ａ，５１ｂを備えており、その内の一方が接地導体２０に対して電気的に接続され、他方が第１導体３０に対して電気的に接続される。また、第２コンデンサ５２は、一対の電気接続部（リード端子等）５２ａ，５２ｂを備えており、その内の一方が接地導体２０に対して電気的に接続され、他方が第２導体４０に対して電気的に接続される。
【００２５】
尚、この筐体１０においては、例えば自らの強度を確保するために、第１コンデンサ５１及び第２コンデンサ５２の収容空間Ｓ１と、後述する第１外部導体６１の収容空間Ｓ２と、後述する第３外部導体６３の収容空間Ｓ３と、が個別に設けられている。従って、筐体１０の強度が確保される場合には、これらの収容空間Ｓ１，Ｓ２，Ｓ３を１つに纏めてもよい。また、この筐体１０は、これらの収容空間Ｓ１，Ｓ２，Ｓ３の開口を塞ぐ蓋部（図示略）を有している。
【００２６】
接地導体２０は、車体等のような導電性部材（図示略）との電気的な接触部２１（図１−図３）を有しており、この接触部２１を介して接地される。このフィルタ共用体１ａにおいて、その接触部２１は、筐体１０の外側に露出させている。この接触部２１に形成した貫通孔２１ａは、雄螺子部（図示略）が挿通される孔である。フィルタ共用体１ａ（ノイズフィルタ）は、その貫通孔２１ａを介して導電性部材に螺子止めされる。
【００２７】
更に、この接地導体２０は、第１コンデンサ５１の一方の電気接続部５１ａとの電気的な接続が可能な第１接地側接続部２２と、第２コンデンサ５２の一方の電気接続部５２ａとの電気的な接続が可能な第２接地側接続部２３と、を有している。この例示の第１接地側接続部２２と第２接地側接続部２３は、所定の間隔を空けて並列に配置している。このフィルタ共用体１ａにおいては、この並列方向が自らの長手方向（第１方向）となる。接地導体２０においては、第１及び第２の接地側接続部２２，２３に対して、その長手方向に間隔を空けて接触部２１が配置されている。このフィルタ共用体１ａにおいては、その接触部２１と第１及び第２の接地側接続部２２，２３との間に第１導体３０を配置している。そして、第２導体４０については、その第１及び第２の接地側接続部２２，２３を間に挟んで、第１導体３０とは逆側に配置している。つまり、第１及び第２の接地側接続部２２，２３は、第１導体３０と第２導体４０との間に配置している。
【００２８】
電気接続部５１ａと第１接地側接続部２２との間の電気接続は、この技術分野において周知の方法を用いて行えばよい。例えば、電気接続部５１ａと第１接地側接続部２２は、半田付けや溶着によって電気的に接続される。電気接続部５２ａと第２接地側接続部２３との間においても同様である。この例示の第１接地側接続部２２と第２接地側接続部２３は、各々貫通孔２２ａ，２３ａを有している。電気接続部５１ａと電気接続部５２ａは、それぞれ貫通孔２２ａ，２３ａに挿通され、半田付け等によって電気接続される。
【００２９】
接地導体２０には、その接触部２１と第１及び第２の接地側接続部２２，２３とを繋ぐ連結部２４が設けられている。その連結部２４は、フィルタ共用体１ａの長手方向に延在している。
【００３０】
第１導体３０は、第１コンデンサ５１の他方の電気接続部５１ｂとの電気的な接続が可能なコンデンサ接続部３１を有している。また、第２導体４０は、第２コンデンサ５２の他方の電気接続部５２ｂとの電気的な接続が可能なコンデンサ接続部４１を有している。それぞれのコンデンサ接続部３１，４１は、第１接地側接続部２２と第２接地側接続部２３とを含む仮想線Ｌ１（図３）上に配置している。つまり、それぞれのコンデンサ接続部３１，４１は、第１及び第２の接地側接続部２２，２３を間に挟む位置関係に配置される。このため、第１コンデンサ５１と第２コンデンサ５２は、それぞれの電気接続部５１ａ，５１ｂ，５２ａ，５２ｂも含めて長手方向に沿って並列に配置される。ここで、仮想線Ｌ１は、フィルタ共用体１ａの長手方向に延在している。従って、第１コンデンサ５１と第２コンデンサ５２は、その長手方向に並べて配置されている。
【００３１】
電気接続部５１ｂとコンデンサ接続部３１との間の電気接続は、この技術分野において周知の方法を用いて行えばよい。例えば、電気接続部５１ｂとコンデンサ接続部３１は、半田付けや溶着によって電気的に接続される。電気接続部５２ｂとコンデンサ接続部４１との間においても同様である。この例示のコンデンサ接続部３１，４１は、各々貫通孔３１ａ，４１ａを有している。電気接続部５１ｂと電気接続部５２ｂは、それぞれ貫通孔３１ａ，４１ａに挿通され、半田付け等によって電気接続される。
【００３２】
更に、第１導体３０は、筐体１０の外側に配置された外部導体との電気的な接続が可能な外部導体接続部３２を有している。また、第２導体４０は、その外部導体とは別の外部導体との電気的な接続が可能な外部導体接続部４２を有している。この例示の外部導体とは、例えば電線の芯線のことである。その芯線と外部導体接続部３２，４２との間の電気接続は、この技術分野において周知の方法を用いて行えばよい。例えば、その芯線は、直接又は端子を介して外部導体接続部３２，４２に電気接続される。例えば、その電気接続には、芯線の加締めによる外部導体接続部３２，４２への圧着、被覆の中剥ぎによる外部導体接続部３２，４２への圧着、熱溶着等が利用される。
【００３３】
この例示の第１導体３０には、最大で２つの外部導体（第１及び第２の外部導体６１，６２）が電気接続される。このため、この例示の第１導体３０は、外部導体接続部３２として、第１外部導体６１との電気的な接続が可能な第１外部導体接続部３２ａと、第２外部導体６２との電気的な接続が可能な第２外部導体接続部３２ｂと、を有する。第１外部導体６１は、筐体１０におけるフィルタ共用体１ａの短手方向（第２方向）の内の一方（挿通孔１０ａ）から引き出される。また、第２外部導体６２は、筐体１０における当該短手方向の内の他方（挿通孔１０ｂ）から引き出される。この第１導体３０においては、筐体１０における第２外部導体６２の挿通孔１０ｂ側に第１外部導体接続部３２ａが配置され、筐体１０における第１外部導体６１の挿通孔１０ａ側に第２外部導体接続部３２ｂが配置される。尚、短手方向とは、フィルタ共用体１ａの長手方向と接地導体２０の貫通孔２１ａの軸線方向とに対する直交方向のことである。
【００３４】
この例示の第２導体４０には、最大で２つの外部導体（第３及び第４の外部導体６３，６４）が電気接続される。このため、この例示の第２導体４０は、外部導体接続部４２として、第３外部導体６３との電気的な接続が可能な第１外部導体接続部４２ａと、第４外部導体６４との電気的な接続が可能な第２外部導体接続部４２ｂと、を有する。第３外部導体６３は、筐体１０における短手方向の内の一方（挿通孔１０ｃ）から引き出される。また、第４外部導体６４は、筐体１０における短手方向の内の他方（挿通孔１０ｄ）から引き出される。この第２導体４０においては、筐体１０における第４外部導体６４の挿通孔１０ｄ側に第１外部導体接続部４２ａが配置され、筐体１０における第３外部導体６３の挿通孔１０ｃ側に第２外部導体接続部４２ｂが配置される。
【００３５】
また更に、第１導体３０は、インダクタ層７０の一端との電気的な接続が可能なインダクタ接続部３３を有している。また、第２導体４０は、インダクタ層７０の他端との電気的な接続が可能なインダクタ接続部４３を有している。インダクタ層７０とは、軸心と当該軸心に巻き付けたコイルの組み合わせから成るインダクタを少なくとも１つ備えたもののことである。インダクタ接続部３３，４３は、筐体１０の内側又は外側に配置する。この例示では、それぞれのインダクタ接続部３３，４３を筐体１０の短手方向における他方の外側に露出させている。
【００３６】
インダクタ層７０の一端とインダクタ接続部３３との間の電気接続は、この技術分野において周知の方法を用いて行えばよい。例えば、インダクタ層７０の一端とインダクタ接続部３３は、半田付けや溶着によって電気的に接続される。インダクタ層７０の他端とインダクタ接続部４３との間においても同様である。この例示のインダクタ接続部３３，４３は、各々貫通孔３３ａ，４３ａを有している。インダクタ層７０の両端は、それぞれ貫通孔３３ａ，４３ａに挿通され、半田付け等によって電気接続される。
【００３７】
第１導体３０には、そのコンデンサ接続部３１と外部導体接続部３２（第１外部導体接続部３２ａ、第２外部導体接続部３２ｂ）とインダクタ接続部３３とを繋ぐ連結部３４が設けられている。また、第２導体４０には、そのコンデンサ接続部４１と外部導体接続部４２（第１外部導体接続部４２ａ、第２外部導体接続部４２ｂ）とインダクタ接続部４３とを繋ぐ連結部４４が設けられている。それぞれの連結部３４，４４は、フィルタ共用体１ａの短手方向に延在している。
【００３８】
これらの接地導体２０と第１導体３０と第２導体４０は、互いに直接の電気的な接続関係が生じないように配置する。これらの接地導体２０と第１導体３０と第２導体４０は、例えば、板状の導電性材料（金属材料等）の成形体であるバスバとして各々形成することができる。この場合、筐体１０の収容部１１は、接地導体２０と第１導体３０と第２導体４０とを成形型に入れたインサート成形によって形成すればよい。また、その接地導体２０と第１導体３０と第２導体４０は、個別に成形された筐体１０に螺子止めや溶着等によって固定してもよい。また、接地導体２０と第１導体３０と第２導体４０は、基板のパターンの如く形成してもよい。例えば、接地導体２０と第１導体３０と第２導体４０は、基板上に形成して、この基板と共に筐体１０に固定してもよく、収容部１１にパターンとして直接形成してもよい。尚、基板のパターンを採用する場合には、例えば、そのパターンにバスバ状のインダクタ接続部３３，４３を電気接続したり、絶縁性材料の壁面を設け、この壁面にインダクタ接続部３３，４３のパターンを印刷したりすればよい。
【００３９】
このように形成された筐体１０と接地導体２０と第１導体３０と第２導体４０の一体物（フィルタ共用体１ａ）は、これに搭載するノイズ低減素子（第１コンデンサ５１、第２コンデンサ５２、インダクタ層７０の構成要素）の種類及び数量と外部導体の数量とを適宜変更することによって、様々なフィルタ特性（ノイズ低減特性や回路特性）のノイズフィルタを構築することができる。図４から図７には、そのフィルタ共用体１ａを利用して構築された複数のノイズフィルタの内の数種類を抜き出して例示している。
【００４０】
図４のノイズフィルタ１Ａは、第１コンデンサ５１と第２コンデンサ５２の内の一方と、電流の入出力を担う２つの外部導体と、をフィルタ共用体１ａに設けた場合の一例である。このノイズフィルタ１Ａは、第２コンデンサ５２と第３外部導体６３と第４外部導体６４とをフィルタ共用体１ａに設けている。この場合には、第３外部導体６３と第４外部導体６４の内の一方が電流の入力側として例えば電源（図示略）に接続され、他方が電流の出力側として例えば負荷（図示略）に接続される。つまり、このノイズフィルタ１Ａは、少なくとも第３外部導体６３と第４外部導体６４とを有するワイヤハーネスＷＨにおいて、その第３外部導体６３と第４外部導体６４との間に介在させたものである。
【００４１】
図５のノイズフィルタ１Ｂは、同じフィルタ共用体１ａを用いつつ図４のノイズフィルタ１Ａのフィルタ回路を２系統設けたものに相当する。このノイズフィルタ１Ｂは、第１コンデンサ５１と第２コンデンサ５２と第１外部導体６１と第２外部導体６２と第３外部導体６３と第４外部導体６４とをフィルタ共用体１ａに設けている。このノイズフィルタ１Ｂにおいては、第１コンデンサ５１と第１外部導体６１と第２外部導体６２とによって第１フィルタ回路が形成され、第２コンデンサ５２と第３外部導体６３と第４外部導体６４とによって第２フィルタ回路が形成される。第１フィルタ回路では、第１外部導体６１と第２外部導体６２の内の一方が電流の入力側となり、他方が電流の出力側となる。第２フィルタ回路は、図４のノイズフィルタ１Ａと同じものである。つまり、このノイズフィルタ１Ｂは、少なくとも第１外部導体６１と第２外部導体６２と第３外部導体６３と第４外部導体６４とを有するワイヤハーネスＷＨにおいて、第１外部導体６１と第２外部導体６２との間及び第３外部導体６３と第４外部導体６４との間に介在させたものである。
【００４２】
ここで、図４のノイズフィルタ１Ａと図５のノイズフィルタ１Ｂは、インダクタ層７０を必要としない。このため、フィルタ共用体１ａにおいては、インダクタ接続部３３，４３が不要になる。これらのノイズフィルタ１Ａ，１Ｂにおいては、インダクタ接続部３３，４３をそのまま残しておいてもよく、インダクタ接続部３３，４３を切断して取り除いてもよい。図４と図５の例示は、後者を表している。
【００４３】
また、本実施形態のノイズフィルタ１は、導電性部材ではなく、絶縁性部材（図示略）に取り付けられる場合もある。この場合には、接地導体２０の接触部２１が絶縁性部材と接触することになるので、この接地導体２０を接地させることができない。そこで、接地導体２０を接地させることができない場合には、第１導体３０の外部導体接続部３２に接続された外部導体と第２導体４０の外部導体接続部４２に接続された外部導体の内の１つを接地させればよい。図５のノイズフィルタ１Ｂにおいては、第１外部導体６１と第２外部導体６２と第３外部導体６３と第４外部導体６４の内の１つを車体等の導電性部材に接続させることで、この外部導体を接地導体として利用すればよい。
【００４４】
図６のノイズフィルタ１Ｃは、第１コンデンサ５１と第２コンデンサ５２の内の一方と、電流の入出力を担う２つの外部導体と、インダクタ層７０と、をフィルタ共用体１ａに設けた場合の一例である。このノイズフィルタ１Ｃは、第２コンデンサ５２と第１外部導体６１と第３外部導体６３とインダクタ層７０としてのインダクタ７１とをフィルタ共用体１ａに設けている。インダクタ７１は、直線状の軸心７１ａと、この軸心７１ａに巻き付けたコイル７１ｂと、を有する。インダクタ接続部３３には、コイル７１ｂの一端が電気的に接続される。また、インダクタ接続部４３には、コイル７１ｂの他端が電気的に接続される。この場合には、第１外部導体６１と第３外部導体６３の内の一方が電流の入力側となり、他方が電流の出力側となる。つまり、このノイズフィルタ１Ｃは、少なくとも第１外部導体６１と第３外部導体６３とを有するワイヤハーネスＷＨにおいて、第１外部導体６１と第３外部導体６３との間に介在させたものである。尚、このノイズフィルタ１Ｃにおいては、第２コンデンサ５２を第１コンデンサ５１に置き換えてもよい。
【００４５】
図７のノイズフィルタ１Ｄは、図６のノイズフィルタ１Ｃにおいて、更に第１コンデンサ５１を設けたものに相当する。この場合においても、第１外部導体６１と第３外部導体６３は、その内の一方が電流の入力側となり、他方が電流の出力側となる。つまり、このノイズフィルタ１Ｄは、少なくとも第１外部導体６１と第３外部導体６３とを有するワイヤハーネスＷＨにおいて、第１外部導体６１と第３外部導体６３との間に介在させたものである。
【００４６】
以上示したように、本実施形態のノイズフィルタ１（１Ａ，１Ｂ，１Ｃ，１Ｄ）は、前述したが如くフィルタ共用体１ａを構成しているので、このフィルタ共用体１ａに搭載するノイズ低減素子の種類及び数量と外部導体の数量とを容易に変更することができる。このため、このノイズフィルタ１（１Ａ，１Ｂ，１Ｃ，１Ｄ）は、多種多様なフィルタ特性を簡便に構築することができる。よって、このノイズフィルタ１を有するワイヤハーネスＷＨにおいては、簡便にノイズ低減効果を得ることができる。
【００４７】
ここで、図８は、フィルタ共用体１ａを背面側（車体等の導電性部材側）から見た図である。図９は、フィルタ共用体１ａを側面から見た図である。フィルタ共用体１ａは、接地導体２０の貫通孔２１ａを介した螺子止めのみの場合、その貫通孔２１ａを中心とした導電性部材に対する回転方向への位置ずれを引き起こす可能性がある。そこで、筐体１０には、導電性部材に対する回転止めのための係止部１０ｅを設ける。その係止部１０ｅは、導電性部材の貫通孔（図示略）に挿通され、かつ、この貫通孔に保持されるクリップである。この例示の係止部１０ｅは、筐体１０の背面に形成した挿入溝１０ｆに沿って所定位置まで挿入される。
【００４８】
ところで、本実施形態では第１導体３０と第２導体４０との間に第１及び第２の接地側接続部２２，２３を配置しているが、本実施形態のフィルタ共用体１ａは、第１接地側接続部２２と第２接地側接続部２３との間に第１及び第２の導体３０，４０を配置してもよい。本実施形態のノイズフィルタ１は、このようにフィルタ共用体１ａを構成したとしても、このフィルタ共用体１ａに搭載するノイズ低減素子の種類及び数量と外部導体の数量とを容易に変更することができるので、多種多様なフィルタ特性を簡便に構築することができる。
【００４９】
［変形例１］
図１０の符号２は本変形例のノイズフィルタを示し、符号２ａは本変形例のフィルタ共用体を示す。本変形例のフィルタ共用体２ａは、以下に示す筐体１１０と接地導体１２０と第１導体１３０と第２導体１４０とを備える。
【００５０】
筐体１１０は、実施形態の筐体１０と同等のものであり、収容部１１１が例えば接地導体１２０と第１導体１３０と第２導体１４０と共にインサート成形される。尚、本変形例においても、この筐体１１０の蓋部は、省略している。
【００５１】
接地導体１２０は、実施形態の接地導体２０と同等の接触部１２１と第１及び第２の接地側接続部１２２，１２３と連結部１２４とを備える（図１１）。この接地導体１２０は、更に補強部１２５を有する。補強部１２５は、接地導体１２０の強度を保つためのものである。尚、このフィルタ共用体２ａは、この接地導体１２０に替えて、実施形態の接地導体２０を用いてもよい。
【００５２】
第１導体１３０は、実施形態の第１導体３０と同等のコンデンサ接続部１３１を備える（図１１）。ここで、本変形例の第１導体１３０には、外部導体接続部１３２を１つのみ設けている。その外部導体接続部１３２には、実施形態の第１外部導体６１又は第２外部導体６２に相当する外部導体の端部（芯線）が電気接続される場合もあれば、その第１外部導体６１と第２外部導体６２とを１本に纏めた外部導体１６１の中間部（芯線）が電気接続される場合もある。図１０及び図１１は、後者を表しており、外部導体１６１の中間部の被覆が中剥ぎされ、露出した芯線が熱溶着等で外部導体接続部１３２に接続される。その外部導体１６１は、筐体１１０の挿通孔１１０ａ，１１０ｂから各々外側に引き出される。尚、図示しないが、この第１導体１３０には、その第１導体３０と同等のインダクタ接続部を設けてもよい。
【００５３】
第２導体１４０は、実施形態の第２導体４０と同等のコンデンサ接続部１４１を備える（図１１）。ここで、本変形例の第２導体１４０には、外部導体接続部１４２を１つのみ設けている。その外部導体接続部１４２には、実施形態の第３外部導体６３又は第４外部導体６４に相当する外部導体の端部（芯線）が電気接続される場合もあれば、その第３外部導体６３と第４外部導体６４とを１本に纏めた外部導体１６３の中間部（芯線）が電気接続される場合もある。図１０及び図１１は、後者を表しており、外部導体１６３の中間部の被覆が中剥ぎされ、露出した芯線が熱溶着等で外部導体接続部１４２に接続される。その外部導体１６３は、筐体１１０の挿通孔１１０ｃ，１１０ｄから各々外側に引き出される。尚、図示しないが、この第２導体１４０には、その第２導体４０と同等のインダクタ接続部を設けてもよい。
【００５４】
接地導体１２０と第１導体１３０と第２導体１４０は、実施形態と同じように、バスバや基板のパターンとして設けることができる。
【００５５】
本変形例のノイズフィルタ２は、第１コンデンサ５１と第２コンデンサ５２と外部導体１６１と外部導体１６３とをフィルタ共用体２ａに設けたものである。つまり、このノイズフィルタ２は、少なくとも外部導体１６１と外部導体１６３とを有するワイヤハーネスＷＨにおいて、外部導体１６１と外部導体１６３との間に介在させたものである。
【００５６】
本変形例のフィルタ共用体２ａは、実施形態のフィルタ共用体１ａと同じように、搭載するノイズ低減素子の種類及び数量と外部導体の数量とを容易に変更することができる。このため、本変形例のノイズフィルタ２は、実施形態のノイズフィルタ１（１Ａ，１Ｂ，１Ｃ，１Ｄ）と同じように、多種多様なフィルタ特性を簡便に構築することができる。よって、このノイズフィルタ２を有するワイヤハーネスＷＨにおいては、簡便にノイズ低減効果を得ることができる。
【００５７】
［変形例２］
本変形例のノイズフィルタ３は、変形例１のノイズフィルタ２の別形態に相当するものであり、パターン１のノイズフィルタを成すためのフィルタ共用体３ａを備える。そのフィルタ共用体３ａは、以下に示す筐体２１０と接地導体２２０と第１導体２３０と第２導体２４０とを備える（図１２及び図１３）。
【００５８】
筐体２１０は、実施形態や変形例１の筐体１０，１１０と同等のものであり、収容部２１１が例えば接地導体２２０と第１導体２３０と第２導体２４０と共にインサート成形される。本変形例の筐体２１０には、実施形態の係止部１０ｅと同等の係止部２１０ｅが一体成形されている。
【００５９】
接地導体２２０は、実施形態や変形例１の接地導体２０，１２０と同等の接触部２２１と第１及び第２の接地側接続部２２２，２２３と連結部２２４とを備える。本変形例では、短手方向における接地導体２０，１２０とは逆側に連結部２２４を設けている。
【００６０】
第１導体２３０は、変形例１の第１導体１３０と同じように、コンデンサ接続部２３１と外部導体接続部２３２を１つずつ備える。更に、この第１導体２３０は、筐体２１０の外側に露出させたインダクタ接続部２３３を備える。また、第２導体２４０は、変形例１の第２導体１４０と同じように、コンデンサ接続部２４１と外部導体接続部２４２を１つずつ備える。更に、この第２導体２４０は、筐体２１０の外側に露出させたインダクタ接続部２４３を備える。
【００６１】
それぞれのコンデンサ接続部２３１，２４１は、第１接地側接続部２２２と第２接地側接続部２２３とを含む仮想線Ｌ１上に配置する。第１及び第２の接地側接続部２２２，２２３は、第１導体２３０と第２導体２４０との間に配置する。本変形例では、具体的に、コンデンサ接続部２３１とコンデンサ接続部２４１との間に第１及び第２の接地側接続部２２２，２２３が配置されている。
【００６２】
それぞれのインダクタ接続部２３３，２４３は、インダクタ層７０を取り付ける場合に残され、インダクタ層７０を取り付けない場合に切断される。
【００６３】
接地導体２２０と第１導体２３０と第２導体２４０は、実施形態や変形例１と同じように、バスバや基板のパターンとして設けることができる。尚、基板のパターンを採用する場合には、例えば、そのパターンにバスバ状のインダクタ接続部２３３，２４３を電気接続したり、絶縁性材料の壁面を設け、この壁面にインダクタ接続部２３３，２４３のパターンを印刷したりすればよい。
【００６４】
このフィルタ共用体３ａは、これに搭載するノイズ低減素子の種類及び数量と外部導体の数量とを適宜変更することによって、様々なフィルタ特性のノイズフィルタ３を構築することができる。図１４から図１９には、このフィルタ共用体３ａを利用して構築された複数のノイズフィルタ３の内の数種類を抜き出して例示している。ここで例示するノイズフィルタ３は、少なくとも第１外部導体２６１と第２外部導体２６２とを有するワイヤハーネスＷＨにおいて、第１外部導体２６１と第２外部導体２６２との間に介在させたものである。
【００６５】
図１４及び図１５の符号３Ａは、本変形例のノイズフィルタ３の一例を示したものである。このノイズフィルタ３Ａは、第１コンデンサ５１と第２コンデンサ５２と第１外部導体２６１と第２外部導体２６２とをフィルタ共用体３ａに設けたものである。尚、このノイズフィルタ３Ａには、インダクタ層７０を設けない。このため、このノイズフィルタ３Ａにおいては、インダクタ接続部２３３，２４３が切断されている。
【００６６】
第１外部導体２６１は、電線２６１ａの芯線が圧着された端子金具２６１ｂを有する。また、第２外部導体２６２は、電線２６２ａの芯線が圧着された端子金具２６２ｂを有する。ここで、第１外部導体２６１が電気接続される第１導体２３０の外部導体接続部２３２は、筐体２１０の内方において、接地導体２２０や第１導体２３０等が埋設された筐体２１０の壁面から立設させている。これと同様に、第２導体２４０についても、外部導体接続部２４２は、その壁面から立設させている。本変形例では、それぞれの外部導体接続部２３２，２４２を矩形の片部として形成する。このため、それぞれの端子金具２６１ｂ，２６２ｂには、その外部導体接続部２３２，２４２が挿入され且つ保持される収容部２６１ｃ，２６２ｃを形成している。
【００６７】
このノイズフィルタ３Ａは、フィルタ共用体３ａにおける筐体２１０の収容部２１１の開口（第１及び第２のコンデンサ５１，５２と第１及び第２の外部導体２６１，２６２の挿入口）を塞ぐ蓋部２１２を備える。その蓋部２１２は、３分割された第１蓋部２１２Ａと第２蓋部２１２Ｂと第３蓋部２１２Ｃとから成る。第１蓋部２１２Ａと第２蓋部２１２Ｂは、長手方向における両端の開口を塞ぐ。第３蓋部２１２Ｃは、その開口における第１蓋部２１２Ａと第２蓋部２１２Ｂとの間を塞ぐ。ここで、この第３蓋部２１２Ｃは、その開口のみならず、フィルタ共用体３ａの背面と側面についても覆うコの字状に成形されている。
【００６８】
図１６及び図１７の符号３Ｂは、本変形例のノイズフィルタ３の他の例を示したものである。このノイズフィルタ３Ｂは、第１コンデンサ５１と第２コンデンサ５２と第１外部導体２６１と第２外部導体２６２とインダクタ層７０（インダクタ７１）をフィルタ共用体３ａに設けたものである。換言するならば、このノイズフィルタ３Ｂは、ノイズフィルタ３Ａにインダクタ層７０（インダクタ７１）を追加したものに相当する。
【００６９】
このノイズフィルタ３Ｂには、インダクタ接続部２３３，２４３とインダクタ層７０（インダクタ７１）を収容するインダクタ層収容部２８１が設けられている。インダクタ層収容部２８１は、筐体２１０の収容部２１１の開口と同じ方向に口を開けた開口を有する箱体である。このインダクタ層収容部２８１は、自らを筐体２１０の背面から当該筐体２１０に嵌合させる嵌合部２８１ａを有する。
【００７０】
このノイズフィルタ３Ｂは、フィルタ共用体３ａにおける筐体２１０の収容部２１１の開口（第１及び第２のコンデンサ５１，５２と第１及び第２の外部導体２６１，２６２の挿入口）を塞ぐ蓋部２１３を備える。その蓋部２１３は、３分割された第１蓋部２１３Ａと第２蓋部２１３Ｂと第３蓋部２１３Ｃとから成る。第１蓋部２１３Ａ及び第２蓋部２１３Ｂは、それぞれノイズフィルタ３Ａの第１蓋部２１２Ａ及び第２蓋部２１２Ｂと同じものである。一方、第３蓋部２１３Ｃは、その開口における第１蓋部２１３Ａと第２蓋部２１３Ｂとの間を塞ぎ、かつ、インダクタ層収容部２８１の開口（インダクタ接続部２３３，２４３とインダクタ層７０の挿入口）を塞ぐように成形されたものである。
【００７１】
図１８及び図１９の符号３Ｃは、本変形例のノイズフィルタ３の他の例を示したものである。このノイズフィルタ３Ｃは、第１コンデンサ５１と第２コンデンサ５２と第１外部導体２６１と第２外部導体２６２とインダクタ層７０（インダクタ２７１）をフィルタ共用体３ａに設けたものである。換言するならば、このノイズフィルタ３Ｃは、ノイズフィルタ３Ｂのインダクタ層７０をインダクタ７１からインダクタ２７１に変更したものに相当する。
【００７２】
このノイズフィルタ３Ｃに設けたインダクタ２７１は、環状の軸心２７１ａと、この軸心２７１ａに巻き付けたコイル２７１ｂと、を有する。インダクタ接続部２３３には、コイル２７１ｂの一端が電気的に接続される。また、インダクタ接続部２４３には、コイル２７１ｂの他端が電気的に接続される。
【００７３】
このノイズフィルタ３Ｃは、そのインダクタ２７１の形状に応じたインダクタ層収容部２８２を備える。そのインダクタ層収容部２８２は、インダクタ接続部２３３，２４３とインダクタ層７０（インダクタ２７１）を収容するものである。このインダクタ層収容部２８２は、自らを筐体２１０の背面から当該筐体２１０に嵌合させる嵌合部２８２ａを有する。
【００７４】
このノイズフィルタ３Ｃは、フィルタ共用体３ａにおける筐体２１０の収容部２１１の開口（第１及び第２のコンデンサ５１，５２と第１及び第２の外部導体２６１，２６２の挿入口）を塞ぐ蓋部２１４を備える。その蓋部２１４は、３分割された第１蓋部２１４Ａと第２蓋部２１４Ｂと第３蓋部２１４Ｃとから成る。第１蓋部２１４Ａ及び第２蓋部２１４Ｂは、それぞれノイズフィルタ３Ａの第１蓋部２１２Ａ及び第２蓋部２１２Ｂと同じものである。一方、第３蓋部２１４Ｃは、その開口における第１蓋部２１４Ａと第２蓋部２１４Ｂとの間を塞ぎ、かつ、インダクタ層収容部２８２の開口（インダクタ接続部２３３，２４３とインダクタ２７１の挿入口）を塞ぐように成形されたものである。
【００７５】
尚、これらの例示ではインダクタ層７０が１つのインダクタ７１，２７１を有するものとして説明したが、インダクタ層７０は、直列接続された複数のインダクタ（図示略）を有するものであってもよい。
【００７６】
以上示したように、本変形例のフィルタ共用体３ａは、実施形態や変形例１のフィルタ共用体１ａ，２ａと同じように、搭載するノイズ低減素子の種類及び数量と外部導体の数量とを容易に変更することができる。このため、本変形例のノイズフィルタ３（３Ａ，３Ｂ，３Ｃ）は、実施形態や変形例１のノイズフィルタ１（１Ａ，１Ｂ，１Ｃ，１Ｄ），２と同じように、多種多様なフィルタ特性を簡便に構築することができる。よって、このノイズフィルタ３を有するワイヤハーネスＷＨにおいては、簡便にノイズ低減効果を得ることができる。
【００７７】
［変形例３］
図２０及び図２１の符号４は本変形例のノイズフィルタを示し、符号４ａは本変形例のフィルタ共用体を示す。本変形例のノイズフィルタ４は、前述したパターン２のノイズフィルタである。本変形例のフィルタ共用体４ａは、以下に示す筐体３１０と接地導体３２０と第１導体３３０と第２導体３４０と連結導体３５０とを備える。
【００７８】
筐体３１０は、実施形態や変形例１の筐体１０，１１０と同等のものであり、その収容部３１１が例えば接地導体３２０と第１導体３３０と第２導体３４０と共にインサート成形される。但し、本変形例のノイズフィルタ４は、２つの外部導体（第１外部導体３６１、第２外部導体３６２）と接続されるものである。このため、この筐体３１０には、第１外部導体３６１を外部に引き出す挿通孔３１０ａと、第２外部導体３６２を外部に引き出す挿通孔３１０ｂと、が短手方向における他方に形成されている。また、この筐体３１０には、筐体１０，１１０と同等の係止部３１０ｅが取り付けられている。尚、この筐体３１０の蓋部については、省略している。
【００７９】
接地導体３２０は、実施形態や変形例１，２の接地導体２０，１２０，２２０と同等の接触部３２１を備える（図２２）。更に、この接地導体３２０は、第１コンデンサ５１の一方の電気接続部５１ａとの電気的な接続が可能な第１接地側接続部３２２と、第２コンデンサ５２の一方の電気接続部５２ａとの電気的な接続が可能な第２接地側接続部３２３と、を有している。本変形例では、第１接地側接続部３２２を筐体３１０内の短手方向における一方に配置し、第２接地側接続部３２３を筐体３１０内の短手方向における他方に配置する。接地導体３２０においては、第１及び第２の接地側接続部３２２，３２３に対して、長手方向に間隔を空けて接触部３２１が配置されている。このフィルタ共用体４ａにおいては、その接触部３２１と第１及び第２の接地側接続部３２２，３２３との間に第１導体３３０を配置している。そして、第２導体３４０については、その第１及び第２の接地側接続部３２２，３２３を間に挟んで、第１導体３３０とは逆側に配置している。つまり、第１及び第２の接地側接続部３２２，３２３は、第１導体３３０と第２導体３４０との間に配置している。
【００８０】
第１導体３３０は、第１コンデンサ５１の他方の電気接続部５１ｂとの電気的な接続が可能なコンデンサ接続部３３１を有している。また、第２導体３４０は、第２コンデンサ５２の他方の電気接続部５２ｂとの電気的な接続が可能なコンデンサ接続部３４１を有している。ここで、本変形例の第１コンデンサ５１と第２コンデンサ５２は、上記の第１及び第２の接地側接続部３２２，３２３に接続しつつ、長手方向に沿って並列に配置する。このため、それぞれのコンデンサ接続部３３１，３４１は、第１接地側接続部３２２と第２接地側接続部３２３とを含む仮想線Ｌ２（図２２）上とは異なる位置に配置する。コンデンサ接続部３３１は、第１接地側接続部３２２に対して長手方向における接触部３２１側に配置される。コンデンサ接続部３４１は、コンデンサ接続部３３１とは逆であり、第１接地側接続部３２２に対して長手方向における逆側に配置される。
【００８１】
更に、第１導体３３０は、第１外部導体３６１との電気的な接続が可能な外部導体接続部３３２を有している。また、第２導体３４０は、第２外部導体３６２との電気的な接続が可能な外部導体接続部３４２を有している。ここで、第１外部導体３６１と第２外部導体３６２は、それぞれに、電線３６１ａ，３６２ａの芯線に圧着された端子金具３６１ｂ，３６２ｂを備えている。その端子金具３６１ｂ，３６２ｂには、矩形の片部３６１ｃ，３６２ｃが形成されている。外部導体接続部３３２，３４２には、それぞれに、その片部３６１ｃ，３６２ｃが挿入され且つ保持される収容部３３２ａ，３４２ａが形成されている。
【００８２】
また更に、第１導体３３０は、インダクタ層７０（インダクタ７１）の一端との電気的な接続が可能なインダクタ接続部３３３を有している。また、第２導体３４０は、インダクタ層７０の他端との電気的な接続が可能なインダクタ接続部３４３を有している。インダクタ接続部３３３，３４３は、筐体３１０の内側又は外側に配置する。この例示では、それぞれのインダクタ接続部３３３，３４３を筐体３１０の短手方向における一方の外側に露出させている。
【００８３】
連結導体３５０は、それぞれのインダクタ接続部３３３，３４３を電気的に接続させる。この連結導体３５０は、インダクタ接続部３３３とインダクタ接続部３４３との間に渡って長手方向に延在している。つまり、このフィルタ共用体４ａにおいては、第１導体３３０と第２導体３４０と連結導体３５０とが一体化されている。この一体化物と接地導体３２０とは、互いに直接の電気的な接続関係が生じないように配置する。
【００８４】
接地導体３２０と第１導体３３０と第２導体３４０と連結導体３５０は、実施形態や変形例１，２と同じように、バスバや基板のパターンとして設けることができる。尚、基板のパターンを採用する場合には、例えば、そのパターンにバスバ状のインダクタ接続部３３３，３４３を電気接続したり、絶縁性材料の壁面を設け、この壁面にインダクタ接続部３３３，３４３のパターンを印刷したりすればよい。
【００８５】
本変形例のノイズフィルタ４は、第１コンデンサ５１と第２コンデンサ５２と第１外部導体３６１と第２外部導体３６２とをフィルタ共用体４ａに設けたものである。つまり、このノイズフィルタ４は、少なくとも第１外部導体３６１と第２外部導体３６２とを有するワイヤハーネスＷＨにおいて、第１外部導体３６１と第２外部導体３６２との間に介在させたものである。
【００８６】
本変形例のフィルタ共用体４ａは、実施形態や変形例１，２のフィルタ共用体１ａ，２ａ，３ａと同じように、搭載するノイズ低減素子の種類及び数量と外部導体の数量とを容易に変更することができる。このため、本変形例のノイズフィルタ４は、実施形態や変形例１，２のノイズフィルタ１（１Ａ，１Ｂ，１Ｃ，１Ｄ），２，３（３Ａ，３Ｂ，３Ｃ）と同じように、多種多様なフィルタ特性を簡便に構築することができる。よって、このノイズフィルタ４を有するワイヤハーネスＷＨにおいては、簡便にノイズ低減効果を得ることができる。
【００８７】
［変形例４］
図２３から図２５の符号５は本変形例のノイズフィルタを示し、符号５ａは本変形例のフィルタ共用体を示す。本変形例のフィルタ共用体５ａは、以下に示す筐体４１０と接地導体４２０と第１導体４３０と第２導体４４０とを備える（図２６）。このフィルタ共用体５ａは、接地導体４２０を中央に配置し、その周囲に第１導体４３０と第２導体４４０とを配置したものである。このフィルタ共用体５ａは、前述したパターン１のノイズフィルタの構成要素として構成することもできれば、前述したパターン２のノイズフィルタの構成要素として構成することもできる。本変形例においては、パターン２のノイズフィルタを例として挙げる。
【００８８】
筐体４１０は、合成樹脂等の絶縁性材料によって成形される。この筐体４１０は、その内側に接地導体４２０と第１導体４３０と第２導体４４０とを収容するものであり、これらを収容する収容部４１１を備える。その収容部４１１は、一面が開口された箱状のものであり、その開口から接地導体４２０と第１導体４３０と第２導体４４０とが収容される。接地導体４２０と第１導体４３０と第２導体４４０は、実施形態等における筐体１０等と同じように、この筐体４１０の内側に全てが収容されてもよく、その一部が筐体４１０の外側に露出していてもよい。更に、この筐体４１０の収容部４１１は、第１コンデンサ５１及び第２コンデンサ５２の収容空間Ｓを有している。この筐体４１０は、図２５に示すように、その収容部４１１の開口（第１及び第２のコンデンサ５１，５２と第１及び第２の外部導体４６１，４６２の挿入口）を塞ぐ蓋部４１２を備える。その蓋部４１２は、３分割された第１蓋部４１２Ａと第２蓋部４１２Ｂと第３蓋部４１２Ｃとから成る。第１蓋部４１２Ａと第２蓋部４１２Ｂは、その開口の両端を塞ぐものである。一方、第３蓋部４１２Ｃは、その開口における第１蓋部４１２Ａと第２蓋部４１２Ｂとの間を塞ぐものである。
【００８９】
接地導体４２０は、筐体４１０の中央に配置される。この接地導体４２０は、車体等のような導電性部材（図示略）との電気的な接触部４２１を有しており、この接触部４２１を介して接地される。具体的に、この接地導体４２０には、その中央に貫通孔４２０ａが形成されている。その貫通孔４２０ａは、筐体４１０の内側と外側とを連通させるものである。この接地導体４２０においては、その貫通孔４２０ａの周縁部分を接触部４２１として利用する。例えば、筐体４１０は、その貫通孔４２０ａに挿通された雄螺子部材４１５を介して導電性部材に固定される。このため、接地導体４２０は、その雄螺子部材４１５を接触部４２１に接触させることによって接地させる。例えば、接触部４２１においては、その一方の平面を筐体４１０の外側に露出させる。ここでは、その露出部分に雄螺子部材４１５の座金等を接触させることによって、雄螺子部材４１５を接触部４２１に接触させる（図２４）。
【００９０】
ここで、雄螺子部材４１５で筐体４１０を導電性部材に固定するためには、雄螺子部材４１５を蓋部４１２側から外部に露出させる必要がある。そのため、第３蓋部４１２Ｃには、雄螺子部材４１５が挿通する内方を備えた円筒状のボス部４１２ａが形成されている。そのボス部４１２ａの内周面と雄螺子部材４１５との間には、円筒状の空間Ｓｃが形成される。そこで、例えば、導電性部材には、内周面に雌螺子部が設けられた円筒状のボス部（図示略）を形成する。そのボス部は、雌螺子部に雄螺子部材４１５が螺合されていくことによって、ボス部４１２ａと雄螺子部材４１５との間の円筒状の空間Ｓｃに挿入されていく。筐体４１０は、このようにして導電性部材に固定される。
【００９１】
更に、この接地導体４２０は、第１コンデンサ５１の一方の電気接続部５１ａとの電気的な接続が可能な第１接地側接続部４２２と、第２コンデンサ５２の一方の電気接続部５２ａとの電気的な接続が可能な第２接地側接続部４２３と、を有している。具体的に、その第１接地側接続部４２２と第２接地側接続部４２３は、接触部４２１の周囲（つまり、接触部４２１に対して径方向外側）に設けている。この例示の第１接地側接続部４２２と第２接地側接続部４２３は、接地導体４２０の貫通孔４２０ａや接触部４２１の中心に対して対角線上に配置している。
【００９２】
第１導体４３０は、第１コンデンサ５１の他方の電気接続部５１ｂとの電気的な接続が可能なコンデンサ接続部４３１を有している。また、第２導体４４０は、第２コンデンサ５２の他方の電気接続部５２ｂとの電気的な接続が可能なコンデンサ接続部４４１を有している。
【００９３】
本変形例の第１コンデンサ５１と第２コンデンサ５２は、上記の第１及び第２の接地側接続部４２２，４２３に接続しつつ、接地導体４２０の貫通孔４２０ａや接触部４２１を間に挟んで並列に配置する。このため、それぞれのコンデンサ接続部４３１，４４１は、第１接地側接続部４２２と第２接地側接続部４２３とを含む仮想線Ｌ２（図２６）上とは異なる位置に配置する。即ち、それぞれのコンデンサ接続部４３１，４４１は、接地導体４２０の周囲（つまり、接地導体４２０に対して径方向外側）に配置されている。言うなれば、接地導体４２０は、第１導体４３０と第２導体４４０とで囲まれた位置に配置されている。そして、第１及び第２の接地側接続部４２２，４２３は、その第１導体４３０と第２導体４４０との間に配置されている。
【００９４】
更に、第１導体４３０は、第１外部導体４６１との電気的な接続が可能な外部導体接続部４３２を有している。また、第２導体４４０は、第２外部導体４６２との電気的な接続が可能な外部導体接続部４４２を有している。ここで、それぞれの外部導体接続部４３２，４４２は、各々変形例２の外部導体接続部２３２，２４２と同等のものである。そして、第１外部導体４６１及び第２外部導体４６２は、各々変形例２の第１外部導体２６１及び第２外部導体２６２と同等のものである。従って、本変形例では、外部導体接続部４３２，４４２が矩形の片部として形成される。また、第１外部導体４６１及び第２外部導体４６２は、それぞれに、電線４６１ａ，４６２ａの芯線が圧着された端子金具４６１ｂ，４６２ｂを有している。その端子金具４６１ｂ，４６２ｂは、外部導体接続部４３２，４４２が挿入され且つ保持される収容部４６１ｃ，４６２ｃを各々備える。
【００９５】
尚、図示しないが、この第１導体４３０と第２導体４４０には、実施形態等における第１導体３０等と同等のインダクタ接続部を各々設けてもよい。そのインダクタ接続部は、筐体４１０の内側又は外側に配置される。
【００９６】
接地導体４２０と第１導体４３０と第２導体４４０は、実施形態等と同じように、バスバや基板のパターンとして設けることができる。
【００９７】
本変形例のノイズフィルタ５は、第１コンデンサ５１と第２コンデンサ５２と第１外部導体４６１と第２外部導体４６２とをフィルタ共用体５ａに設けたものである（図２７及び図２８）。つまり、このノイズフィルタ５は、少なくとも第１外部導体４６１と第２外部導体４６２とを有するワイヤハーネスＷＨにおいて、第１外部導体４６１と第２外部導体４６２との間に介在させたものである。
【００９８】
本変形例のフィルタ共用体５ａは、実施形態等におけるフィルタ共用体１ａ等と同じように、搭載するノイズ低減素子の種類及び数量と外部導体の数量とを容易に変更することができる。このため、本変形例のノイズフィルタ５は、実施形態等におけるノイズフィルタ１（１Ａ，１Ｂ，１Ｃ，１Ｄ）等と同じように、多種多様なフィルタ特性を簡便に構築することができる。よって、このノイズフィルタ５を有するワイヤハーネスＷＨにおいては、簡便にノイズ低減効果を得ることができる。
【００９９】
ところで、これまで例示した実施形態や各変形例１−４においては第１コンデンサ５１と第２コンデンサ５２とを並列に配置しているが、実施形態等における接地側接続部とコンデンサ接続部は、これらの前述した位置関係を保った上で、第１コンデンサ５１と第２コンデンサ５２が互いに傾斜させた状態で配置されるように設けてもよい。この場合には、ノイズフィルタが前述したパターン２として構成される。また、その接地側接続部とコンデンサ接続部は、これらの前述した位置関係を保った上で、第１コンデンサ５１と第２コンデンサ５２が互いに積層させた状態で配置されるように設けてもよい。この場合でも、ノイズフィルタは、前述したパターン２として構成される。
【０１００】
［変形例５］
図２９から図３１の符号６は本変形例のノイズフィルタを示す。実施形態や各変形例１−３に示したノイズフィルタ１−４においては、インダクタ層７０を設ける場合、例えば変形例２のノイズフィルタ３Ｂ，３Ｃのように、インダクタ層収容部２８１，２８２にインダクタ層７０が収容される。この種のノイズフィルタ１−４は、例えば、車両のデフォッガのアース線に接続され、ラジオの信号に乗る雑音（車載機器の電波に伴うもの）の除去に利用することができる。ここで、例えば、インダクタ層収容部２８１，２８２は、合成樹脂等の熱伝導率の低い材料で成形されているので、インダクタ層７０から受熱した収容空間内の熱を外部に放熱し難い。このため、インダクタ層７０の熱は、インダクタ接続部２３３，２４３との接点を介して第１導体２３０や第２導体２４０に逃がされる。従って、デフォッガのアース線等のような大電流が流れる場所に接続されたノイズフィルタ１−４においては、インダクタ層７０が温度上昇して、インダクタ層７０の耐久性が低下してしまう可能性がある。そこで、本変形例のノイズフィルタ６は、インダクタ層７０の温度上昇を抑え得るように構成する。
【０１０１】
本変形例のノイズフィルタ６は、第１コンデンサ５１と第２コンデンサ５２の収容が可能なフィルタ共用体６ａを有する。そのフィルタ共用体６ａは、合成樹脂等の絶縁性材料によって成形された第１筐体６１０を備える。第１筐体６１０は、収容部６１１と蓋部６１２とで構成する。
【０１０２】
収容部６１１は、一面を開口させた箱状に成形される。この収容部６１１には、第１及び第２のコンデンサ５１，５２が重ね合わせて収容されるコンデンサ収容空間６１１ａと、後述する第１外部導体６６１における端子金具６６１ｂの端子接続部６６１ｂ１が電線６６１ａと共に収容される第１端子収容空間６１１ｂと、後述する第２外部導体６６２における端子金具６６２ｂの端子接続部６６２ｂ１が電線６６２ａと共に収容される第２端子収容空間６１１ｃと、が設けられている（図３２）。コンデンサ収容空間６１１ａと第１端子収容空間６１１ｂと第２端子収容空間６１１ｃは、その順番で並べて配置されている。
【０１０３】
第１筐体６１０（収容部６１１）には、その第１外部導体６６１の電線６６１ａを外部に引き出す挿通孔６１０ａと、その第２外部導体６６２の電線６６２ａを外部に引き出す挿通孔６１０ｂと、が形成されている。また、この第１筐体６１０（収容部６１１）においては、先に説明した筐体１０等と同等の係止部６１０ｅが保持溝６１０ｆに挿入されて取り付けられている（図３０）。
【０１０４】
蓋部６１２としては、コンデンサ収容空間６１１ａの開口を塞ぐ第１蓋部６１２Ａと、第１端子収容空間６１１ｂの開口を塞ぐ第２蓋部６１２Ｂと、第２端子収容空間６１１ｃの開口を塞ぐ第３蓋部６１２Ｃと、が設けられている（図２９及び図３０）。
【０１０５】
更に、フィルタ共用体６ａは、接地導体６２０と第１導体６３０と第２導体６４０とを備える（図３３）。その接地導体６２０と第１導体６３０と第２導体６４０は、板状の導電性材料（金属材料等）の成形体であるバスバとして各々成形されている。収容部６１１は、その接地導体６２０と第１導体６３０と第２導体６４０と共にインサート成形される。
【０１０６】
接地導体６２０は、先に説明した接地導体２０等と同等の接触部６２１を備える。更に、この接地導体６２０は、第１コンデンサ５１の一方の電気接続部５１ａとの電気的な接続が可能な第１接地側接続部６２２と、第２コンデンサ５２の一方の電気接続部５２ａとの電気的な接続が可能な第２接地側接続部６２３と、を有している。これらの電気的な接続は、例えば半田付けや溶着によって行われる。その第１接地側接続部６２２と第２接地側接続部６２３は、コンデンサ収容空間６１１ａに露出させ、筐体６１０の短手方向に並べて配置される。接地導体６２０においては、第１及び第２の接地側接続部６２２，６２３に対して、筐体６１０の長手方向に間隔を空けて接触部６２１が配置されている。
【０１０７】
第１導体６３０と第２導体６４０は、接地導体６２０に対して、筐体６１０の長手方向における接触部６２１とは逆側に配置される。第１導体６３０は、第１コンデンサ５１の他方の電気接続部５１ｂとの電気的な接続が可能なコンデンサ接続部６３１を有している。また、第２導体６４０は、第２コンデンサ５２の他方の電気接続部５２ｂとの電気的な接続が可能なコンデンサ接続部６４１を有している。これらの電気的な接続は、例えば半田付け等によって行われる。そのコンデンサ接続部６３１とコンデンサ接続部６４１は、コンデンサ収容空間６１１ａに露出させ、筐体６１０の短手方向に並べて配置される。更に、この第１導体６３０では、コンデンサ接続部６３１が第１接地側接続部６２２に対して筐体６１０の長手方向に並べて配置される。また、第２導体６４０では、コンデンサ接続部６４１が第２接地側接続部６２３に対して筐体６１０の長手方向に並べて配置される。従って、フィルタ共用体６ａにおいては、第１コンデンサ５１が先に接地導体６２０と第１導体６３０に接続され、その後、第２コンデンサ５２が第１コンデンサ５１に重ね合わせられた状態で接地導体６２０と第２導体６４０に接続される。
【０１０８】
更に、第１導体６３０は、第１端子収容空間６１１ｂに露出させた端子接続部６３２を有する。その端子接続部６３２は、後述する第１インダクタ６７１側に第１外部導体６６１を介して接続されるものであり、インダクタ層７０の一端（第１インダクタ６７１におけるコイル６７１ｂの一端）との電気的な接続が可能なインダクタ接続部であると言える。この端子接続部６３２は、第１導体６３０の主体部における板状面に対する直交方向に突出させ、第１外部導体６６１に対して電気的に接続される。第１外部導体６６１は、電線６６１ａの芯線が圧着された端子金具６６１ｂを有する（図３０）。端子金具６６１ｂには、２つの端子接続部（端子接続部６６１ｂ１と端子接続部６６１ｂ２）が並べて配置されている。一方の端子接続部６６１ｂ１は、第１導体６３０の端子接続部６３２に対して電気的に接続される部分である。それぞれの端子接続部６３２，６６１ｂ１は、一方が雄型のタブ状に形成され、他方が雌型の箱状に形成される。この例示では、端子接続部６３２を雄タブ端子とし、端子接続部６６１ｂ１を雌型のボックス端子とする。他方の端子接続部６６１ｂ２は、後述する第１導体６９１の端子接続部６９１ｂに対して電気的に接続される部分である。それぞれの端子接続部６９１ｂ，６６１ｂ２は、一方が雄型のタブ状に形成され、他方が雌型の箱状に形成される。この例示では、端子接続部６９１ｂを雄タブ端子とし、端子接続部６６１ｂ２を雌型のボックス端子とする。
【０１０９】
また、第２導体６４０は、第２端子収容空間６１１ｃに露出させた端子接続部６４２を有する。その端子接続部６４２は、後述する第２インダクタ６７２側に第２外部導体６６２を介して接続されるものであり、インダクタ層７０の他端（第２インダクタ６７２におけるコイル６７２ｂの一端）との電気的な接続が可能なインダクタ接続部であると言える。この端子接続部６４２は、第２導体６４０の主体部における板状面に対する直交方向に突出させ、第２外部導体６６２に対して電気的に接続される。第２外部導体６６２は、電線６６２ａの芯線が圧着された端子金具６６２ｂを有する（図３０）。端子金具６６２ｂには、２つの端子接続部（端子接続部６６２ｂ１と端子接続部６６２ｂ２）が並べて配置されている。一方の端子接続部６６２ｂ１は、第２導体６４０の端子接続部６４２に対して電気的に接続される部分である。それぞれの端子接続部６４２，６６２ｂ１は、一方が雄型のタブ状に形成され、他方が雌型の箱状に形成される。この例示では、端子接続部６４２を雄タブ端子とし、端子接続部６６２ｂ１を雌型のボックス端子とする。他方の端子接続部６６２ｂ２は、後述する第２導体６９２の端子接続部６９２ｂに対して電気的に接続される部分である。それぞれの端子接続部６９２ｂ，６６２ｂ２は、一方が雄型のタブ状に形成され、他方が雌型の箱状に形成される。この例示では、端子接続部６９２ｂを雄タブ端子とし、端子接続部６６２ｂ２を雌型のボックス端子とする。
【０１１０】
このノイズフィルタ６には、インダクタ層７０を設ける。この例示では、そのインダクタ層７０として、第１インダクタ６７１と第２インダクタ６７２とを設けている。第１インダクタ６７１は、環状の軸心（鉄心）６７１ａと、この軸心６７１ａに巻き付けたコイル６７１ｂと、を有する。第２インダクタ６７２は、環状の軸心６７２ａと、この軸心６７２ａに巻き付けたコイル６７２ｂと、を有する。
【０１１１】
このノイズフィルタ６には、その第１インダクタ６７１と第２インダクタ６７２を収容する第２筐体６８０が設けられている（図２９及び図３０）。第２筐体６８０は、合成樹脂等の絶縁性材料によって成形された収容部（インダクタ層収容部）６８１と蓋部６８２とで構成する。この例示の第２筐体６８０には、第３コンデンサ５３も収容される。
【０１１２】
収容部６８１は、一面を開口させた箱状に成形される。この収容部６８１には、第１インダクタ６７１が収容される第１インダクタ収容空間６８１ａと、第２インダクタ６７２が収容される第２インダクタ収容空間６８１ｂと、第３コンデンサ５３が収容されるコンデンサ収容空間６８１ｃと、が設けられている（図３４）。第１インダクタ収容空間６８１ａと第２インダクタ収容空間６８１ｂは、円環状の第１インダクタ６７１と第２インダクタ６７２の形状に合わせて円柱状に形成されている。蓋部６８２は、その第１インダクタ収容空間６８１ａと第２インダクタ収容空間６８１ｂとコンデンサ収容空間６８１ｃのそれぞれの開口を塞ぐように成形されている。更に、この収容部６８１には、第１外部導体６６１における端子金具６６１ｂの端子接続部６６１ｂ２が収容される第１端子収容空間６８１ｄと、第２外部導体６６２における端子金具６６２ｂの端子接続部６６２ｂ２が収容される第２端子収容空間６８１ｅと、が設けられている。このノイズフィルタ６では、フィルタ共用体６ａと第２筐体６８０とが接続された際に、第１端子収容空間６１１ｂと第１端子収容空間６８１ｄとが隣接し、かつ、第２端子収容空間６１１ｃと第２端子収容空間６８１ｅとが隣接するように、これらの端子収容空間を配置する（図３１）。そこで、このノイズフィルタ６においては、第２蓋部６１２Ｂが第１端子収容空間６８１ｄの開口も塞ぎ、第３蓋部６１２Ｃが第２端子収容空間６８１ｅの開口も塞ぐ。
【０１１３】
この収容部６８１には、第１導体６９１と第２導体６９２と第３導体６９３と放熱板６９４とを設けている（図３５）。その第１導体６９１と第２導体６９２と第３導体６９３は、板状の導電性材料（金属材料等）の成形体であるバスバとして各々成形されている。また、放熱板６９４は、板状の導電性材料（金属材料等）で成形されている。この放熱板６９４には、熱伝導率の高い金属材料（銅板等）を用いる。これら第１導体６９１と第２導体６９２と第３導体６９３と放熱板６９４は、同一平面上に配置される。収容部６８１は、その第１導体６９１と第２導体６９２と第３導体６９３と放熱板６９４と共にインサート成形される。
【０１１４】
第１導体６９１は、第１インダクタ６７１におけるコイル６７１ｂの一端との電気的な接続が可能なインダクタ接続部６９１ａを有している。第２導体６９２は、第２インダクタ６７２におけるコイル６７２ｂの一端との電気的な接続が可能なインダクタ接続部６９２ａを有している。第３導体６９３は、第１インダクタ６７１におけるコイル６７１ｂの他端との電気的な接続が可能なインダクタ接続部６９３ａと、第２インダクタ６７２におけるコイル６７２ｂの他端との電気的な接続が可能なインダクタ接続部６９３ｂと、を有している。これらの電気的な接続は、例えば半田付け等によって行われる。第１インダクタ６７１に関わるインダクタ接続部６９１ａ，６９３ａは、第１インダクタ収容空間６８１ａと収容部６８１の外部とに露出させている（図３４及び図３６）。第２インダクタ６７２に関わるインダクタ接続部６９２ａ，６９３ｂは、第２インダクタ収容空間６８１ｂと収容部６８１の外部とに露出させている。
【０１１５】
また、第１導体６９１は、第１端子収容空間６８１ｄに露出させた端子接続部６９１ｂを有する。その端子接続部６９１ｂは、第１導体６９１の主体部における板状面に対する直交方向に突出させ、第１外部導体６６１における端子金具６６１ｂの端子接続部６６１ｂ２に対して電気的に接続される。
【０１１６】
また、第２導体６９２は、第２端子収容空間６８１ｅに露出させた端子接続部６９２ｂを有する。その端子接続部６９２ｂは、第２導体６９２の主体部における板状面に対する直交方向に突出させ、第２外部導体６６２における端子金具６６２ｂの端子接続部６６２ｂ２に対して電気的に接続される。
【０１１７】
また、第３導体６９３は、第３コンデンサ５３の一方の電気接続部５３ａとの電気的な接続が可能なコンデンサ接続部６９３ｃを有する。その第３コンデンサ５３の他方の電気接続部５３ｂは、放熱板６９４の後述するコンデンサ接続部６９４ｃと電気的に接続される。これらの電気的な接続は、例えば半田付け等によって行われる。そのコンデンサ接続部６９３ｃ，６９４ｃは、コンデンサ収容空間６８１ｃと収容部６８１の外部とに露出させている（図３４及び図３６）。
【０１１８】
放熱板６９４は、収容部６８１の壁部６８１ｆ（図３６）の全面に渡って存在させた板状の主体部６９４ａと、この主体部６９４ａと同一平面上で収容部６８１から突出させた板状の突出部６９４ｂと、を有する（図３４−図３６）。この例示では、主体部６９４ａと突出部６９４ｂをそれぞれ矩形に形成している。
【０１１９】
主体部６９４ａには、貫通孔６９４ａ１が形成されている。その貫通孔６９４ａ１には、互いに間隔を空けて、第１導体６９１と第２導体６９２と第３導体６９３とが配置されている。主体部６９４ａは、第１インダクタ収容空間６８１ａに露出させた第１露出部６９４ａ２と、第２インダクタ収容空間６８１ｂに露出させた第２露出部６９４ａ３と、を有する（図３４）。第１露出部６９４ａ２と第２露出部６９４ａ３は、円環状の第１インダクタ６７１と第２インダクタ６７２の形状に合わせて円形に形成されている。第１インダクタ６７１と第２インダクタ６７２は、その第１露出部６９４ａ２と第２露出部６９４ａ３から間隔を空けて配置する。第１露出部６９４ａ２は、第１インダクタ収容空間６８１ａの空気の熱を奪うことができる。第２露出部６９４ａ３は、第２インダクタ収容空間６８１ｂの空気の熱を奪うことができる。
【０１２０】
主体部６９４ａには、第３コンデンサ５３の他方の電気接続部５３ｂとの電気的な接続が可能なコンデンサ接続部６９４ｃが形成されている。
【０１２１】
突出部６９４ｂは、第２筐体６８０をフィルタ共用体６ａに接続するための接続部として利用される。第１筐体６１０（収容部６１１）には、その突出部６９４ｂが突出方向に挿入され且つ保持される保持溝６１０ｇが形成されている（図３０及び図３７）。その保持溝６１０ｇは、突出部６９４ｂにおける対向する２つの辺部が各々嵌合されるものである。この保持溝６１０ｇは、突出部６９４ｂの一方の板状面を第１筐体６１０（収容部６１１）の外部に露出させる。このため、放熱板６９４は、その突出部６９４ｂから外部の空気に放熱することができる。その突出部６９４ｂの一方の板状面とは、接地導体６２０の接触部６２１における車体との接地面と同じ側に存在している。この例示では、接触部６２１が車体に取り付けられた際に、その突出部６９４ｂの板状面が車体に対して間隔を空けて向き合っている。
【０１２２】
ここで、この突出部６９４ｂには、貫通孔６９４ｂ１が形成されている（図３５）。その貫通孔６９４ｂ１には、片持ちの板バネ部６９４ｄが設けられている。その板バネ部６９４ｄは、貫通孔６９４ｂ１における主体部６９４ａ側の端部から、突出部６９４ｂの突出方向で且つ突出部６９４ｂの一方の板状面と対向する車体に向けて突出させる（図３６及び図３７）。このため、この板バネ部６９４ｄは、突出部６９４ｂの一方の板状面よりも車体側に突出している。この板バネ部６９４ｄは、接触部６２１が車体に取り付けられた際に、車体から押動されて根元側を支点に傾倒し、その際に発生する弾発力によって車体との接触状態を保持する。このため、放熱板６９４は、この板バネ部６９４ｄを介して突出部６９４ｂの熱を車体に逃がすことができる。
【０１２３】
本変形例のノイズフィルタ６においては、通電に伴い、第１インダクタ６７１で発生した熱が第１インダクタ収容空間６８１ａの空気に伝わると共に、第２インダクタ６７２で発生した熱が第２インダクタ収容空間６８１ｂの空気に伝わる。そして、このノイズフィルタ６では、第１インダクタ収容空間６８１ａの空気の熱が主として放熱板６９４の第１露出部６９４ａ２に伝わると共に、第２インダクタ収容空間６８１ｂの空気の熱が主として放熱板６９４の第２露出部６９４ａ３に伝わる。その第１及び第２の露出部６９４ａ２，６９４ａ３の熱は、主に均熱効果によって放熱板６９４の主体部６９４ａで拡散すると共に、突出部６９４ｂと板バネ部６９４ｄに伝達される。その突出部６９４ｂと板バネ部６９４ｄからは、周囲の空気に放熱される。更に、板バネ部６９４ｄからは、車体にも放熱される。このため、このノイズフィルタ６においては、第１インダクタ６７１と第２インダクタ６７２の温度上昇を抑えることができる。
【０１２４】
また、本変形例のノイズフィルタ６においては、放熱板６９４の主体部６９４ａが収容部６８１の壁部６８１ｆの全面に渡って存在しているので、この主体部６９４ａに接する壁部６８１ｆに対して当該主体部６９４ａの熱が伝わり、主体部６９４ａよりも熱の拡散時間を要するが、その壁部６８１ｆでも熱が拡散して収容部６８１の外部に放熱される。更に、本変形例のノイズフィルタ６においては、第１インダクタ６７１のコイル６７１ｂの両端から第１導体６９１と第３導体６９３とに放熱され、かつ、第２インダクタ６７２のコイル６７２ｂの両端から第２導体６９２と第３導体６９３とに放熱される。その第１から第３の導体６９１，６９２，６９３の熱は、それぞれが接している壁部６８１ｆに伝わり、主体部６９４ａよりも熱の拡散時間を要するが、その壁部６８１ｆでも熱が拡散して収容部６８１の外部に放熱される。このため、このノイズフィルタ６においては、これらの熱伝達経路を熱が伝わることでも、第１インダクタ６７１と第２インダクタ６７２の温度上昇を抑えることができる。
【０１２５】
以上示したように、本変形例のノイズフィルタ６は、従来のようなコイルを経てインダクタの熱を放散させるのみならず、収容部６８１の壁に占める割合の大きい放熱板６９４を介して多くの熱を放散させることができる。このため、このノイズフィルタ６は、第１インダクタ６７１と第２インダクタ６７２の温度上昇を適切に抑えることができる。そして、これにより、このノイズフィルタ６は、第１インダクタ６７１と第２インダクタ６７２の温度上昇に伴う耐久性の低下を抑制することができる。また、このノイズフィルタ６は、過度に耐熱温度の高い第１インダクタ６７１と第２インダクタ６７２を用いる必要が無くなるので、原価の低減をも図ることができる。更に、このノイズフィルタ６を有するワイヤハーネスＷＨにおいては、そのノイズフィルタ６によって得られた作用効果と同等のものを得ることができる。
【０１２６】
ここで、第１インダクタ収容空間６８１ａと第２インダクタ収容空間６８１ｂにおいては、第１インダクタ６７１と第２インダクタ６７２とが各々室内の空気に触れた状態にある。このため、第１インダクタ６７１と第２インダクタ６７２からの放熱は、その空気の熱伝導率の影響を受ける。換言するならば、第１インダクタ６７１と第２インダクタ６７２は、接触している物質の熱伝導率が高い程、放熱し易くなる。
【０１２７】
そこで、第１インダクタ６７１と第２インダクタ６７２は、空気よりも熱伝導率が高く且つ絶縁性を有する高熱伝導率部材６７５にコイル６７１ｂ，６７２ｂの接点部（両端）を除いて埋め込み、その接点部を除いた全ての外壁面を高熱伝導率部材６７５に接触させることによって、放熱効果を高めることが望ましい（図３８）。その高熱伝導率部材６７５は、例えば、２分割されている内部空間が円柱の樹脂金型に第１インダクタ６７１又は第２インダクタ６７２を配置し、その内部空間に高熱伝導率で絶縁性及び耐熱性を備えたポッティング材料を充填させることによって成形する。そのポッティング材料としては、例えば、ウレタン樹脂、各種フィラーが添加されたプラスチック材料やセラミック材料、ガラス、アスファルト、コンクリート等が考えられる。ポッティング材料は、第１インダクタ６７１や第２インダクタ６７２の体格や放熱量等に応じて適宜選択すればよい。
【０１２８】
図３９には、第１インダクタ６７１又は第２インダクタ６７２に対する通電時間とコイル６７１ｂ，６７２ｂの表面温度との関係を示している。本図では、実線が高熱伝導率部材６７５を有する場合を示し、破線が高熱伝導率部材６７５を具備しない場合（つまり第１インダクタ６７１又は第２インダクタ６７２が空気に触れている場合）を示している。本図によれば、高熱伝導率部材６７５を設けることで、第１インダクタ６７１と第２インダクタ６７２が空気に直接触れている場合よりも、コイル６７１ｂ，６７２ｂの温度上昇が抑えられていることが判る。よって、本変形例のノイズフィルタ６は、高熱伝導率部材６７５を設けることで、第１インダクタ６７１と第２インダクタ６７２の温度上昇の更なる抑制効果を得ることができる。
【０１２９】
［変形例６］
図４０及び図４１の符号７は本変形例のノイズフィルタを示す。実施形態や各変形例１−４及び５に示したノイズフィルタ１−４，６においては、インダクタ層７０と共に一体化された構造物から電線が引き出されてワイヤハーネスＷＨが形成されている。このため、その電線は、例えばワイヤハーネスＷＨの搬送中や車体への取り付け後などにノイズフィルタ１−４，６から荷重が加わることで、耐久性の低下を引き起こしてしまう可能性がある。そこで、本変形例のノイズフィルタ７は、先に示したノイズフィルタ１−４，６において、コンデンサ側とインダクタ層側とを別体構造とし、これらの間を電線で連結させるように構成する。
【０１３０】
例えば、ここでは、変形例３のノイズフィルタ４をベースにして本変形例のノイズフィルタ７の説明を行う。本変形例のノイズフィルタ７は、ノイズフィルタ４のフィルタ共用体４ａと略同等のコンデンサ側収容体としてのフィルタ共用体７ａと、インダクタ層７０を有するインダクタ側収容体７ｂと、を備える。更に、このノイズフィルタ７は、そのフィルタ共用体（コンデンサ側収容体）７ａとインダクタ側収容体７ｂとを電気的に連結させる第１及び第２の電線７９１，７９２を備える。
【０１３１】
フィルタ共用体（コンデンサ側収容体）７ａは、フィルタ共用体４ａと同じように第１及び第２のコンデンサ５１，５２を有するものであるが、そのフィルタ共用体４ａとは次の点が異なる。本変形例のフィルタ共用体７ａには、フィルタ共用体４ａの第１導体３３０に替えて、コンデンサ接続部７３１及び外部導体接続部７３２を有する第１導体７３０が設けられ、かつ、フィルタ共用体４ａの第２導体３４０に替えて、コンデンサ接続部７４１及び外部導体接続部７４２を有する第２導体７４０が設けられている。
【０１３２】
第１導体７３０は、板状の導電性材料（金属材料等）の成形体であるバスバとして成形されている。コンデンサ接続部７３１は、第１導体３３０のコンデンサ接続部３３１と同等のものであり、第１コンデンサ５１の他方の電気接続部５１ｂとの電気的な接続が可能である。外部導体接続部７３２は、第１外部導体７６１との電気的な接続が可能なものである。この外部導体接続部７３２は、例えば第１導体７３０の主体部の板状面から突出させた圧着部であり、第１外部導体７６１の電線７６１ａの芯線等に対して電気的に接続される。その電線７６１ａは、フィルタ共用体４ａと同じように、筐体３１０（収容部３１１）の挿通孔３１０ａから外部に引き出される。この電線７６１ａは、ワイヤハーネスＷＨの幹線ＷＨ１から分岐している。
【０１３３】
この第１導体７３０は、更に端子接続部７３３を有している。その端子接続部７３３は、インダクタ層７０の一端に第１電線７９１を介して接続されるものであり、インダクタ層７０の一端との電気的な接続が可能なインダクタ接続部であると言える。この端子接続部７３３は、第１電線７９１の一端に対して電気的に接続される部分であり、第１電線７９１の一端に設けた端子接続部７９１ａと接続される。それぞれの端子接続部７３３，７９１ａは、一方が雄型のタブ状に形成され、他方が雌型の箱状に形成される。この例示では、端子接続部７９１ａを雄タブ端子とし、端子接続部７３３を雌型のボックス端子とする。本変形例の筐体３１０（収容部３１１）には、短手方向で挿通孔３１０ａと対向する位置に挿通孔７１０ｃが形成されている。第１電線７９１は、その挿通孔７１０ｃから外部に引き出される。
【０１３４】
第２導体７４０は、板状の導電性材料（金属材料等）の成形体であるバスバとして成形されている。コンデンサ接続部７４１は、第２導体３４０のコンデンサ接続部３４１と同等のものであり、第２コンデンサ５２の他方の電気接続部５２ｂとの電気的な接続が可能である。外部導体接続部７４２は、第２外部導体７６２との電気的な接続が可能なものである。この外部導体接続部７４２は、例えば第２導体７４０の主体部の板状面から突出させた圧着部であり、第２外部導体７６２の電線７６２ａの芯線等に対して電気的に接続される。その電線７６２ａは、フィルタ共用体４ａと同じように、筐体３１０（収容部３１１）の挿通孔３１０ｂから外部に引き出される。この電線７６２ａは、ワイヤハーネスＷＨの幹線ＷＨ１から分岐している。
【０１３５】
この第２導体７４０は、更に端子接続部７４３を有している。その端子接続部７４３は、インダクタ層７０の他端に第２電線７９２を介して接続されるものであり、インダクタ層７０の他端との電気的な接続が可能なインダクタ接続部であると言える。この端子接続部７４３は、第２電線７９２の一端に対して電気的に接続される部分であり、第２電線７９２の一端に設けた端子接続部７９２ａと接続される。それぞれの端子接続部７４３，７９２ａは、一方が雄型のタブ状に形成され、他方が雌型の箱状に形成される。この例示では、端子接続部７９２ａを雄タブ端子とし、端子接続部７４３を雌型のボックス端子とする。本変形例の筐体３１０（収容部３１１）には、短手方向で挿通孔３１０ｂと対向する位置に挿通孔７１０ｄが形成されている。第２電線７９２は、その挿通孔７１０ｄから第１電線７９１と同じ向きで外部に引き出される。
【０１３６】
インダクタ側収容体７ｂは、インダクタ層７０と筐体７８０と第１導体７８５と第２導体７８６とを備える。
【０１３７】
インダクタ側収容体７ｂにおいては、インダクタ層７０としてインダクタ７７１を設けている。インダクタ７７１は、直線状の軸心７７１ａと、この軸心７７１ａに巻き付けたコイル７７１ｂと、を有する。
【０１３８】
筐体７８０は、合成樹脂等の絶縁性材料によって成形された収容部（インダクタ層収容部）７８１と蓋部（図示略）とで構成する。収容部７８１は、一面を開口させた箱状に成形される。蓋部は、その開口を塞ぐものである。収容部７８１には、第１導体７８５と第２導体７８６とを設けている。この収容部７８１は、その第１導体７８５と第２導体７８６と共にインサート成形される。
【０１３９】
第１導体７８５と第２導体７８６は、板状の導電性材料（金属材料等）の成形体であるバスバとして各々成形されている。第１導体７８５は、インダクタ７７１におけるコイル７７１ｂの一端との電気的な接続が可能なインダクタ接続部７８５ａを有している。第２導体７８６は、インダクタ７７１におけるコイル７７１ｂの他端との電気的な接続が可能なインダクタ接続部７８６ａを有している。これらの電気的な接続は、例えば半田付け等によって行われる。
【０１４０】
更に、第１導体７８５は、第１電線７９１の他端に設けた端子接続部７９１ｂと接続される端子接続部７８５ｂを有している。それぞれの端子接続部７８５ｂ，７９１ｂは、一方が雄型のタブ状に形成され、他方が雌型の箱状に形成される。この例示では、端子接続部７９１ｂを雄タブ端子とし、端子接続部７８５ｂを雌型のボックス端子とする。筐体７８０（収容部７８１の１つの側壁）には、挿通孔７８０ａが形成されている。第１電線７９１は、その挿通孔７８０ａから外部に引き出される。
【０１４１】
また、第２導体７８６は、第２電線７９２の他端に設けた端子接続部７９２ｂと接続される端子接続部７８６ｂを有している。それぞれの端子接続部７８６ｂ，７９２ｂは、一方が雄型のタブ状に形成され、他方が雌型の箱状に形成される。この例示では、端子接続部７９２ｂを雄タブ端子とし、端子接続部７８６ｂを雌型のボックス端子とする。筐体７８０（挿通孔７８０ａが配置されている収容部７８１の側壁）には、挿通孔７８０ｂが形成されている。第２電線７９２は、その挿通孔７８０ｂから第１電線７９１と同じ向きで外部に引き出される。
【０１４２】
このように、本変形例のノイズフィルタ７は、フィルタ共用体（コンデンサ側収容体）７ａとインダクタ側収容体７ｂとを個別に設け、これらの間を第１電線７９１と第２電線７９２とで電気的に接続する。このため、本変形例のワイヤハーネスＷＨにおいては、フィルタ共用体（コンデンサ側収容体）７ａよりも重いインダクタ側収容体７ｂをワイヤハーネスＷＨの幹線ＷＨ１に保持部材７９５を介して保持させることができるので、コンデンサ側とインダクタ層側とが一体化されたノイズフィルタを備えたものと比較して、電線７６１ａ，７６２ａに掛かるノイズフィルタ７からの荷重が軽減される。従って、本変形例のノイズフィルタ７は、例えばワイヤハーネスＷＨの搬送中や車体への取り付け後などにおいて、振動や車体からの入力等によって電線７６１ａ，７６２ａに加わる負荷を抑え、この電線７６１ａ，７６２ａの耐久性の低下を抑えることができる。これにより、信頼性の高いノイズフィルタ７の車両への実装が可能になる。更に、このノイズフィルタ７を有するワイヤハーネスＷＨにおいては、そのノイズフィルタ６によって得られた作用効果と同等のものを得ることができる。
【０１４３】
ここで、その保持部材７９５には、粘着テープや結束バンド等を利用することができる。例えば、粘着テープを用いる場合には、インダクタ側収容体７ｂと幹線ＷＨ１を粘着テープで幾重にも巻き付けて相互間の固定を行えばよい。また、保持部材７９５としては、クリップ等による相互間の保持機構を用いてもよい。
【符号の説明】
【０１４４】
１，１Ａ，１Ｂ，１Ｃ，１Ｄ，２，３，３Ａ，３Ｂ，３Ｃ，４，５，６，７  ノイズフィルタ
１ａ，２ａ，３ａ，４ａ，５ａ，６ａ，７ａ  フィルタ共用体
１０，１１０，２１０，３１０，４１０  筐体
１１，１１１，２１１，３１１，４１１，６１１  収容部
２０，１２０，２２０，３２０，４２０，６２０  接地導体
２１，１２１，２２１，３２１，４２１，６２１  接触部
２２，１２２，２２２，３２２，４２２，６２２  第１接地側接続部
２３，１２３，２２３，３２３，４２３，６２３  第２接地側接続部
３０，１３０，２３０，３３０，４３０，６３０，７３０  第１導体
３１，４１，１３１，１４１，２３１，２４１，３３１，３４１，４３１，４４１，６３１，６４１，７３１，７４１  コンデンサ接続部
３２，４２，１３２，１４２，２３２，２４２，３３２，３４２，４３２，４４２，７３２，７４２  外部導体接続部
３２ａ，４２ａ  第１外部導体接続部
３２ｂ，４２ｂ  第２外部導体接続部
３３，４３，２３３，２４３，３３３，３４３  インダクタ接続部
４０，１４０，２４０，３４０，４４０，６４０，７４０  第２導体
５１  第１コンデンサ
５１ａ，５１ｂ  電気接続部
５２  第２コンデンサ
５２ａ，５２ｂ  電気接続部
６１，２６１，３６１，４６１，６６１，７６１  第１外部導体
６２，２６２，３６２，４６２，６６２，７６２  第２外部導体
６３  第３外部導体
６４  第４外部導体
７０  インダクタ層
７１，２７１，７７１  インダクタ
１６１，１６３  外部導体
２１２，２１３，２１４，４１２，６１２，６８２  蓋部
２８１，２８２，６８１，７８１  インダクタ層収容部
４１５  雄螺子部材
４２０ａ  貫通孔
６１０  第１筐体
６３２，６４２，７３３，７４３  端子接続部（インダクタ接続部）
６７１  第１インダクタ
６７２  第２インダクタ
Ｌ１，Ｌ２  仮想線
ＷＨ  ワイヤハーネス
【図１】
2016208487.tif 000003
【図２】
2016208487.tif 000004
【図３】
2016208487.tif 000005
【図４】
2016208487.tif 000006
【図５】
2016208487.tif 000007
【図６】
2016208487.tif 000008
【図７】
2016208487.tif 000009
【図８】
2016208487.tif 000010
【図９】
2016208487.tif 000011
【図１０】
2016208487.tif 000012
【図１１】
2016208487.tif 000013
【図１２】
2016208487.tif 000014
【図１３】
2016208487.tif 000015
【図１４】
2016208487.tif 000016
【図１５】
2016208487.tif 000017
【図１６】
2016208487.tif 000018
【図１７】
2016208487.tif 000019
【図１８】
2016208487.tif 000020
【図１９】
2016208487.tif 000021
【図２０】
2016208487.tif 000022
【図２１】
2016208487.tif 000023
【図２２】
2016208487.tif 000024
【図２３】
2016208487.tif 000025
【図２４】
2016208487.tif 000026
【図２５】
2016208487.tif 000027
【図２６】
2016208487.tif 000028
【図２７】
2016208487.tif 000029
【図２８】
2016208487.tif 000030
【図２９】
2016208487.tif 000031
【図３０】
2016208487.tif 000032
【図３１】
2016208487.tif 000033
【図３２】
2016208487.tif 000034
【図３３】
2016208487.tif 000035
【図３４】
2016208487.tif 000036
【図３５】
2016208487.tif 000037
【図３６】
2016208487.tif 000038
【図３７】
2016208487.tif 000039
【図３８】
2016208487.tif 000040
【図３９】
2016208487.tif 000041
【図４０】
2016208487.tif 000042
【図４１】
2016208487.tif 000043